(57)【特許請求の範囲】
【請求項１】
印刷データを送信する複数の上位機と，受信した印刷データに基き印刷処理する複数のプリンタとを双方通信可能に接続してなる印刷装置において、
前記各上位機が印字用の機密文書データを入力可能かつ入力された機密文書データを前記各プリンタへ送信可能に形成され、
前記各プリンタが前記各上位機から受信した機密文書データに対応する受付キーコードを発生可能かつ発生された受付キーコードを記憶手段に記憶可能であるとともに前記各上位機へ送信可能に形成され、
前記各上位機は各プリンタから受付キーコードを受信した場合に、１ページ目印刷データを送信可能かつ前記各プリンタから送信許可を受信したことを条件に２ページ目以降の印刷データを送信可能に形成されるとともに、
前記各上位機が前記各プリンタから受信した受付キーコードを出力可能に形成される一方、前記各プリンタは受付キーコードが入力されかつ入力された受付キーコードが前記記憶手段に記憶された受付キーコードと同じ受付キーコードであると確認された場合に、前記２ページ目以降の印刷データについての該送信許可を各上位機に送信可能に形成されかつ前記各プリンタが入力された受付キーコードが該記憶手段に記憶されている受付キーコードと合致することを条件に当該機密文書を印刷可能に形成され、
前記各プリンタにおいて受付キーコードが入力されたことをもって前記各上位機において機密文書データを入力した利用者が当該プリンタの近くに居ることを推定確認可能かつその確認後に当該機密文書を印刷可能に構成したことを特徴とする印刷装置。
【請求項２】
印刷データを送信する複数の上位機と，受信した印刷データに基き印刷処理する複数のプリンタとを双方通信可能に接続してなる印刷装置において、
前記各上位機は、
印字用の機密文書データを入力可能な機密文書データ入力手段と，
入力された機密文書データを前記各プリンタへ送信可能な機密文書データ送信手段と，
前記各プリンタから受信した受付キーコードを前記各上位機へ出力可能な受付キーコード出力手段とが設けられ、
前記各プリンタは、
前記各上位機から受信した機密文書データを記憶可能な記憶手段と，
前記各上位機から機密文書データを受信した場合に受付キーコードを発生する受付キーコード発生手段と，
発生された受付キーコードを該記憶手段に記憶する記憶制御手段と，
発生された受付キーコードを前記各上位機へ送信可能な受付キーコード送信手段と，
受付キーコードを入力可能な受付キーコード入力手段と，
入力された受付キーコードと該記憶手段に記憶されている受付キーコードとを比較してその同一性を確認可能な同一性確認手段と，
同一性があると判別されたことを条件に当該機密文書の印刷を行う機密文書印刷制御手段とが設けられ、
前記各上位機は、前記各プリンタから受付キーコードを受信した場合に１ページ目印刷データを送信可能かつ当該各プリンタから送信許可を受信したことを条件に２ページ目以降の印刷データを送信可能に形成されるとともに、
前記各プリンタは、受付キーコードが入力されかつ入力された受付キーコードが前記記憶手段に記憶された受付キーコードと同じ受付キーコードであると確認された場合に、前記２ページ目以降の印刷データについての該送信許可を前記各上位機に送信可能に形成されたことを特徴とする印刷装置。
【請求項３】
前記各プリンタは、
前記各上位機から受信した機密文書データおよびそのパスワードを記憶する記憶手段と、
前記各プリンタに電源が投入されると、前記記憶手段を検索して印刷していない機密文書が残っているか否かを判別する判別手段と，
残っていると判別された場合に当該機密文書データに含まれるパスワードを前記各上位機へ送信するパスワード送信手段とを備え、
前記各上位機は、
前記各プリンタからパスワードを受信した場合に未印刷通達を出力する未印刷通達出力手段と，
パスワードを入力可能なパスワード入力手段と，
入力されたパスワードと前記各プリンタから受信したパスワードとを比較してその同一性を判別するパスワード判別手段と，
同一性があると判別された場合に前記各プリンタに当該パスワードを送信する送信手段とを備え、
前記各プリンタは、送信されたパスワードを前記記憶手段に記憶されているパスワードとの同一性を確認するパスワード確認手段と、
同一性があると確認された場合に、前記受付キーコードの入力待ち状態となるように形成された入力待ち状態確立手段とをさらに備え、
前記各プリンタの受付キーコード入力手段を用いて受付キーコード入力操作により残りの機密文書を印刷可能とした請求項１または２に記載の印刷装置。
【請求項４】
前記各上位機は、前記印刷データを送信する前記プリンタに当該印刷データをファクシミリ送信させる旨のファクシミリ送信要求およびファクシミリ用機密文書データを入力可能かつ入力されたファクシミリ送信要求を前記プリンタへ送信する際にファクシミリ送信する印刷データが機密文書である旨のファクシミリ用機密文書データが入力されている場合には当該ファクシミリ用機密文書データも当該プリンタへ送信可能に形成されるとともに、
前記各プリンタは、前記上位機からファクシミリ送信要求を受信した場合に当該印刷データをファクシミリ送信可能かつファクシミリ用機密文書データを受信した場合には当該ファクシミリ送信の際にファクシミリ用機密文書データをも送信可能に形成されている請求項１ないし請求項３のいずれか１項に記載の印刷装置。
【発明の詳細な説明】
【０００１】
【発明の属する技術分野】
本発明は、印刷データを送信する複数の上位機と，受信した印刷データに基き印刷処理する複数のプリンタとを双方通信可能に接続してなる印刷装置に関する。
【０００２】
【従来の技術】
図１０において、印刷データを送信する複数の上位機（例えば、パソコン）１０（１０Ａ，１０Ｂ，…）と，双方向通信可能なデータ通信回線１を介して受信した印刷データに基き印刷処理する複数のプリンタ２０（２０Ａ，２０Ｂ，…）とからネットワークを構成した印刷装置（ＭＦＰ…Ｍｕｌｔｉ  Ｆｕｎｃｔｉｏｎ  Ｐｒｉｎｔｅｒ）がある。なお、各プリンタ２０は、各コントローラと各印刷機構とからなる。
【０００３】
かかる印刷装置では、上位機１０およびプリンタ（２０）のそれぞれにネットワーク上の固有のアドレスが割付けられている。したがって、ある上位機１０からアドレス指定によりあるプリンタ（２０Ｂ）に印刷要求送信しかつ当該プリンタ（２０Ｂ）から受信了解の応答を得ると、当該プリンタアドレス情報を含んだ印刷データをネットワーク（１）上に流す。すると、当該アドレスが割付けられたプリンタ（２０Ｂ）がこれを認識しつつ受信し、印刷処理する。
【０００４】
なお、上位機１０群とプリンタ（２０）群との間にプリントサーバーを配設する場合もあるが本質的には上記場合と変わらない。また、インターフェイスのコスト低減からネットワーク上の各上位機１０と各プリンタ（２０）とを１対１で接続する場合もある。
【０００５】
【発明が解決しようとする課題】
ところで、印刷要求する上位機１０と指定したプリンタ（２０）とが、手が届く近くにあることは稀である。したがって、印刷要求した利用者が指定したあるいは１対１とされたプリンタ（２０）へ行くまでには、それら間の距離に応じた時間を必要とする。
【０００６】
ここに、上位機１０とプリンタ（２０）との接続台数が例えば各５０台以上の如く多数になると、利用者が来るまで指定されたプリンタ（２０）によって印刷された印刷物は放置状態となる。つまり、機密印刷物（文書）の守秘性が損われるという問題が生じる。これでは、各プリンタの利用度および印刷処理の高速化を高めようとするネットワーク構築上の本来的利益が享受できない。
【０００７】
本発明の第１の目的は、印刷物の守秘性を保持可能で取扱い容易な印刷装置を提供することにある。また、第２の目的は、プリンタで印刷した同一の印刷データをファクシミリ送信可能かつその守秘性も保持可能な印刷装置を提供することにある。
【０００８】
【課題を解決するための手段】
請求項１の発明は、上述した課題を解決するために、印刷データを送信する複数の上位機と，受信した印刷データに基き印刷処理する複数のプリンタとを双方通信可能に接続してなる印刷装置において、前記各上位機が印字用の機密文書データを入力可能かつ入力された機密文書データを前記各プリンタへ送信可能に形成され、前記各プリンタが前記各上位機から受信した機密文書データに対応する受付キーコードを発生可能かつ発生された受付キーコードを記憶手段に記憶可能であるとともに前記各上位機へ送信可能に形成され、前記各上位機は各プリンタから受付キーコードを受信した場合に、１ページ目印刷データを送信可能かつ前記各プリンタから送信許可を受信したことを条件に２ページ目以降の印刷データを送信可能に形成されるとともに、前記各上位機が前記各プリンタから受信した受付キーコードを出力可能に形成される一方、前記各プリンタは受付キーコードが入力されかつ入力された受付キーコードが前記記憶手段に記憶された受付キーコードと同じ受付キーコードであると確認された場合に、前記２ページ目以降の印刷データについての該送信許可を各上位機に送信可能に形成されかつ前記各プリンタが入力された受付キーコードが該記憶手段に記憶されている受付キーコードと合致することを条件に当該機密文書を印刷可能に形成され、前記各プリンタにおいて受付キーコードが入力されたことをもって前記各上位機において機密文書データを入力した利用者が当該プリンタの近くに居ることを推定確認可能かつその確認後に当該機密文書を印刷可能に構成したことを特徴とする印刷装置である。
【０００９】
かかる発明では、利用者Ａがある上位機で印刷用の機密文書データ（例えば、機密文書コード，利用者のＩＤ，パスワード等）を入力すると、各プリンタまたは指定したプリンタへ当該機密文書データが送信される。これを最先に受信したプリンタまたは指定されたプリンタは、受付キーコードを発生して記憶するとともに当該上位機へ送信する。受付キーコードを受信した当該上位機は、受付キーコードを例えば表示器に表示出力する一方、その段階で機密文書の１ページ目印刷データを当該プリンタに送信する。当該プリンタで受付キーコードの同一性が確認されると、それによる送信許可に基き２ページ目以降の印刷データが上位機から送信されて来るが、１ページ目印刷データは既に受信しているので直ちに１ページ印刷に入れる。したがって、請求項１および請求項２の発明の場合と同様に守秘性を保ちつつ印刷高速化も維持できることはもよとり、さらに同一性が確認されない場合には、２ページ目以降の印刷データがプリンタ側に送信されて来ないので、この点からも守秘性を一段と高められる。
【００１０】
ここに、受付キーコードを知った利用者Ａは、当該プリンタへ行きその受付キーコードを入力する。すると、当該プリンタは、入力された受付キーコードと先に発生かつ記憶した受付キーコードとが合致する場合に、印刷用の機密文書データを入力した利用者Ａが当該プリンタの近くに居ることを推定確認して当該機密文書を印刷する。かくして、機密文書の守秘性を保ちつつ、印刷高速化も維持できることはもよとり、さらに同一性が確認されない場合には、２ページ目以降の印刷データがプリンタ側に送信されて来ないので、この点からも守秘性を一段と高めることができる。
【００１１】
また、請求項２の発明は、上述した課題を解決するために、印刷データを送信する複数の上位機と，受信した印刷データに基き印刷処理する複数のプリンタとを双方通信可能に接続してなる印刷装置において、前記各上位機は、印字用の機密文書データを入力可能な機密文書データ入力手段と，入力された機密文書データを前記各プリンタへ送信可能な機密文書データ送信手段と，前記各プリンタから受信した受付キーコードを前記各上位機へ出力可能な受付キーコード出力手段とが設けられ、前記各プリンタは、前記各上位機から受信した機密文書データを記憶可能な記憶手段と，前記各上位機から機密文書データを受信した場合に受付キーコードを発生する受付キーコード発生手段と，発生された受付キーコードを該記憶手段に記憶する記憶制御手段と，発生された受付キーコードを前記各上位機へ送信可能な受付キーコード送信手段と，受付キーコードを入力可能な受付キーコード入力手段と，入力された受付キーコードと該記憶手段に記憶されている受付キーコードとを比較してその同一性を確認可能な同一性確認手段と，同一性があると判別されたことを条件に当該機密文書の印刷を行う機密文書印刷制御手段とが設けられ、前記各上位機は、前記各プリンタから受付キーコードを受信した場合に１ページ目印刷データを送信可能かつ当該各プリンタから送信許可を受信したことを条件に２ページ目以降の印刷データを送信可能に形成されるとともに、前記各プリンタは、受付キーコードが入力されかつ入力された受付キーコードが前記記憶手段に記憶された受付キーコードと同じ受付キーコードであると確認された場合に、前記２ページ目以降の印刷データについての該送信許可を前記各上位機に送信可能に形成されたことを特徴とする印刷装置である。
【００１２】
かかる発明では、利用者Ａは、ある上位機においてその機密文書データ入力手段を用いて印刷用の機密文書データを入力する。機密文書データ送信手段は指定プリンタまたは各プリンタへそれを送信する。当該プリンタでは、印刷用機密文書データを受信すると、受付キーコード発生手段が例えば乱数としての受付キーコードを発生する。この受付キーコードは、記憶制御手段によって自機内記憶手段に記憶されかつ受付キーコード送信手段によって当該上位機へ送信される。
【００１３】
当該上位機内の受付キーコード出力手段は、受信した受付キーコードを例えば表示器に表示出力する。利用者Ａは、これを知ることができる。かくして、当該プリンタへ行き、その受付キーコード入力手段を用いて当該受付キーコードを入力する。すると、同一性確認手段が入力された受付キーコードと記憶手段に記憶されていた受付キーコードとの同一性を確認する。同一性が確認されるつまり両コードが合致すると、機密文書印刷制御手段がその後または事前に受信した印刷データ（機密文書）の印刷を行う。受付キーコードの同一性が無い場合は印刷されない。したがって、請求項１の発明の場合と同様に受付キーコードを知る当該利用者Ａのみが機密文書（印刷物）を入手できるから、その守秘性を保てるとともに取扱いが一段と容易である。
【００１６】
さらに、請求項３の発明は、上述した課題を解決するために、前記各プリンタは、前記各上位機から受信した機密文書データおよびそのパスワードを記憶する記憶手段と、前記各プリンタに電源が投入されると、前記記憶手段を検索して印刷していない機密文書が残っているか否かを判別する判別手段と，残っていると判別された場合に当該機密文書データに含まれるパスワードを前記各上位機へ送信するパスワード送信手段とを備え、前記各上位機は、前記各プリンタからパスワードを受信した場合に未印刷通達を出力する未印刷通達出力手段と，パスワードを入力可能なパスワード入力手段と，入力されたパスワードと前記各プリンタから受信したパスワードとを比較してその同一性を判別するパスワード判別手段と，同一性があると判別された場合に前記各プリンタに当該パスワードを送信する送信手段とを備え、前記各プリンタは、送信されたパスワードを前記記憶手段に記憶されているパスワードとの同一性を確認するパスワード確認手段と、同一性があると確認された場合に、前記受付キーコードの入力待ち状態となるように形成された入力待ち状態確立手段とをさらに備え、前記各プリンタの受付キーコード入力手段を用いて受付キーコード入力操作により残りの機密文書を印刷可能とした請求項１または２に記載の印刷装置である。
【００１７】
かかる発明では、プリンタの電源を投入すると、判別手段が不発揮性メモリからなる記憶手段を検索して印刷していない機密文書が残っているか否かを判別する。例えば停電で先の機密文書が印刷未了の場合は残っていると判別されると、パスワード送信手段が、当該機密文書データ中のパスワードを当該上位機あるいは各上位機へ送信する。
【００１８】
これを受信した上位機内の未印刷通達出力手段は、未印刷通達を例えば表示器に表示出力する。かくして、当該上位機において利用者Ａがパスワード入力手段を用いて先に入力したものと同じパスワードを入力すると、パスワード判別手段が、入力されたパスワードがプリンタから受信したパスワードと同一性があると判別する。すると、パスワード送信手段が、当該パスワードを当該プリンタに送信する。
【００１９】
当該プリンタでは、上位機から受信したパスワードが記憶手段に記憶されている印刷用機密文書データ中のパスワードと同一であると確認された場合に、受付キーコードの入力待ち状態とする。すなわち、改めて受付キーコードが発生されないので、最初の機密文書データ中のパスワードを上位機およびプリンタの双方で確認することにより、先の受付キーコードを知る利用者Ａであることを再確認し、その利用者Ａの受付キーコード入力を待つわけである。したがって、請求項１および請求項２に記載の発明の場合と同様な作用効果を奏し得ることはもとより、さらに停電等があっても残りの機密文書の守秘性を保てる。
【００２０】
さらにまた、請求項４の発明は、前記各上位機は前記印刷データを送信する前記プリンタに当該印刷データをファクシミリ送信させる旨のファクシミリ送信要求およびファクシミリ用機密文書データを入力可能かつ入力されたファクシミリ送信要求を前記プリンタへ送信する際にファクシミリ送信する印刷データが機密文書である旨のファクシミリ用機密文書データが入力されている場合には当該ファクシミリ用機密文書データも当該プリンタへ送信可能に形成されるとともに、前記各プリンタは前記上位機からファクシミリ送信要求を受信した場合に当該印刷データをファクシミリ送信可能かつファクシミリ用機密文書データを受信した場合には当該ファクシミリ送信の際にファクシミリ用機密文書データをも送信可能に形成されている印刷装置である。
【００２１】
かかる発明では、上位機においてファクシミリ送信要求を入力すると、印刷データを送信するプリンタへ当該印刷データを送信する際に併せてファクシミリ送信要求を送信する。プリンタではファクシミリ送信要求を受信した場合は印刷した印刷データと同一の印刷データをファクシミリ送信する。しかも、ファクシミリ用機密文書データを受信している場合には、その機密文書データをも送信する。
【００２２】
したがって、請求項１から請求項３までの発明の場合と同様な作用効果を奏し得ることはもとより、上位機からプリンタへ印刷データを１回送信するだけで印刷とファクシミリ送信ができるとともに、ファクシミリ受信先においても守秘性を保て得る。
【００２３】
【発明の実施の形態】
以下、本発明の実施形態を図面を参照して説明する。
本印刷装置は、図１に示す如く、基本的ネットワーク構成が従来例（図１０）の場合と同じとされているが、各上位機１０に機密文書データ入力手段（１５）と，機密文書データ送信手段（１１，１２，１７）と，受付キーコード出力手段（１１，１２，１６）とを設けるとともに、各プリンタ（２０）に記憶手段（２４）と，受付キーコード発生手段（２１，２２）と，記憶制御手段（２１，２２）と，受付キーコード送信手段（２１，２２，２７）と，受付キーコード入力手段（２５）と，同一性確認手段（２１，２２）と，機密文書印刷制御手段（２１，２２）とを設け、各プリンタ（２０，３０）において受付キーコードが入力されたことをもって各上位機１０において印刷用の機密文書データを入力した利用者が当該プリンタ（２０，３０）の近くに居ることを推定確認可能かつその確認後に当該機密文書を印刷可能に構成されている。
【００２４】
図１において、各上位機１０は、ＣＰＵ１１，ＲＯＭ１２，ＲＡＭ１３，キーボード（ＫＢ）１５，表示器（ＩＮＤ）１６，データ通信用のインターフェイス（Ｉ／Ｆ）１７等を含むパソコンから形成されている。１は、双方向通信可能なデータ通信回線である。
【００２５】
機密文書データ入力手段は、基本的には印刷用の機密文書データを入力するもので、キーボード１５から形成されている。この印刷用機密文書データは、図３のＳＴ２８，２９、ＳＴ３２，３３および図８（Ａ）（Ａ１），（Ａ３）に示す如く、印刷用機密文書コードと，名前つまりＩＤ（例えば、“ｍｏｒｉｎｏ”）と，パスワード（例えば、“ｈｉｍｉｔｓｕ”）とからなり、入力（ＳＴ２８，ＳＴ３２）状態確認のために図８（Ａ）（Ａ１），（Ａ３）に示すように表示器１６に印刷指定画面表示（ＳＴ２６）の中で表示出力（ＳＴ３３）されかつＲＡＭ１３のワークエリアに一時記憶（ＳＴ３３）される。
【００２６】
なお、印刷要求とともにファクシミリ送信要求がされている場合（ＳＴ２５のＮＯ）には、図８（Ａ）（Ａ２）に示すファクシミリ送信指定画面も表示（ＳＴ２７）され、ファクシミリ用機密文書コードも入力（ＳＴ３０）されかつ記憶（ＳＴ３１）される。ファクシミリ用機密文書データは、ファクシミリ用機密文書コードと，名前（ＩＤ）と，パスワードとからなる。名前とパスワードとは、印刷用の場合と同一としても異なるものとしてもよい。この実施形態では、同一として説明する。なお、ファクシミリ送信の場合は、当然に図８（Ａ）（Ａ２）に示す相手方のファクシミリ（ＦＡＸ）番号もキーボード１５を用いて入力する必要がある。
【００２７】
機密文書データ送信手段は、入力された印刷用の機密文書データを各プリンタ（２０）または指定したプリンタ（２０）へ送信する手段で、送信制御プログラムを格納させたＲＯＭ１２とＣＰＵ１１とインターフェイス１７とから形成され、図４のＳＴ３６で実行される。なお、キーボード１５上のＯＫキーを押下操作（ＳＴ３４のＹＥＳ）することで、慎重を期している。キャンセルもできる（ＳＴ３５）。なお、印刷用機密文書データとファクシミリ用機密文書データとを同時に送信することができる（ＳＴ３６）。
【００２８】
受付キーコード出力手段は、各プリンタのうちのプリンタ（２０）または指定したプリンタ（２０）から受信（図４のＳＴ３７のＹＥＳ）した受付キーコードを出力する手段で、出力制御プログラムを格納させたＲＯＭ１２とＣＰＵ１１と表示器１６とから形成され、図４のＳＴ３８で実行される。この実施形態では、図８（Ｂ）に示すように、表示器１６に表示出力される。この際、受付キーコード（例えば、“１２０３４５”）の他、当該ＩＤおよびパスワードも表示される。全体としては、機密文書印刷要求了解画面として表示される。
【００２９】
また、１ページ目送信制御手段（ＣＰＵ１１，ＲＯＭ１２）は、受付キーコードを受信（ＳＴ３７のＹＥＳ）した場合に、機密文書印刷データ中の１ページ目印刷データのみを当該プリンタ（２０）へ送信（ＳＴ３９）する。なお、２ページ目以降の印刷データは、詳細後記のプリンタ（２０）からの送信許可を受信（ＳＴ４０のＹＥＳ）した場合に送信（ＳＴ４１および図２のＳＴ１８）するものと形成してある。一層の守秘性を向上させるためである。
【００３０】
また、未印刷通達出力手段は、プリンタ（２０）から未印刷通達つまりパスワードを受信（図２のＳＴ１０のＹＥＳ）した場合に未印刷通達を出力する手段で、未印刷通達制御プログラムを格納させたＲＯＭ１２とＣＰＵ１１と表示器１６とから形成され、図２のＳＴ１１で実行される。具体的には、図９に示す如く表示器１６に表示出力される。
【００３１】
パスワード入力手段は、キーボード１５から形成され、パスワードを入力（ＳＴ１２のＹＥＳ）するために用いられる。パスワード判別手段は、判別制御プログラムを格納させたＲＯＭ１２とＣＰＵ１１とから形成され、入力（ＳＴ１２のＹＥＳ）されたパスワードとプリンタ（２０）から受信（ＳＴ１０のＹＥＳ）したパスワードとを比較してその同一性を判別する。同一性があると判別（認証）された場合（ＳＴ１３のＹＥＳ）に、送信手段（ＣＰＵ１１，ＲＯＭ１２，インターフェイス１７）が当該入力パスワードを当該プリンタ（２０）へ送信（ＳＴ１６）する。
【００３２】
図１において、各プリンタ（２０，３０）は、コントローラ２０と印刷機構３０とから構成されている。印刷機構３０の構造により、電子写真方式プリンタ，インクジェットプリンタ，サーマルプリンタと呼ばれる。
【００３３】
コントローラ２０は、ＣＰＵ２１，ＲＯＭ２２，ＲＡＭ２３，ＥＥＰＲＯＭ２４，キーボード（ＫＢ）２５，データ通信用のインターフェイス（Ｉ／Ｆ）２７，入出力ポート（Ｉ／Ｏ）２９等を含み、上位機１０と双方向通信可能でかつ上位機１０から受信した印刷データに基き印刷機構３０を駆動制御して印刷処理を行う。さらに、印刷した印刷データを電話回線４１を通して外部へファクシミリ送信するためのファクシミリ回路４０が設けられている。
【００３４】
ここに、記憶手段は、上位機１０から受信（図６のＳＴ６６のＹＥＳ）した機密文書データを記憶する手段で、不揮発性の上記ＥＥＰＲＯＭ２４から形成されている。したがって、停電となっても、機密文書データ等を記憶保持できる（ＳＴ６８）。
【００３５】
受付キーコード発生手段は、上位機１０から機密文書データを受信（ＳＴ６６のＹＥＳ）した場合に受付キーコード（例えば、“１２０３４５”）を発生する手段で、乱数発生プログラムを格納したＲＯＭ２２とＣＰＵ２１とから形成され、図６のＳＴ６７で実行される。
【００３６】
受信した機密文書データと発生された受付キーコードとは、記憶制御手段（ＲＯＭ２２，ＣＰＵ２１）によって記憶手段（２４）に記憶（ＳＴ６８）される。
【００３７】
受付キーコード送信手段は、発生された受付キーコードを当該上位機１０または各上位機１０へ送信する手段で、送信制御プログラムを格納させたＲＯＭ２２とＣＰＵ２１とインターフェイス２７とから形成され、図６のＳＴ６９で実行される。
【００３８】
この受付キーコードを受信（図４のＳＴ３７のＹＥＳ）したことを条件に、当該上位機１０から送信（ＳＴ３９）されて来た１ページ目印刷データは、記憶手段（２４）に記憶される（図６のＳＴ７０のＹＥＳ，ＳＴ７１）。守秘性を保ちながら印刷高速化のために１ページ目印刷データのみを予め記憶するわけである。
【００３９】
受付キーコード入力手段は、キーボード２５から形成され、利用者が受付キーコードを入力（図６のＳＴ７２のＹＥＳ）するために用いられる。
【００４０】
同一性確認手段は、入力（図６のＳＴ７２のＹＥＳ）された受付キーコードと記憶手段（２４）に記憶（ＳＴ６８）されている受付キーコードとを比較してその同一性を確認するつまり合致しているか否かを確認する手段で、確認制御プログラムを格納させたＲＯＭ２２とＣＰＵ２１とから形成され、図６のＳＴ７３で実行される。
【００４１】
同一性（合致）が確認（認証）された場合（ＳＴ７３のＹＥＳ）に働く機密文書印刷制御手段は、当該プログラムを格納させたＲＯＭ２２とＣＰＵ２１とから形成され、図７のＳＴ７５で実行される。この際、送信許可出力手段（ＣＰＵ２１，ＲＯＭ２２）が、２ページ目以降の印刷データを送信して良いとする許可を上位機１０へ送信（ＳＴ７４）する。合致していなければ、送信許可を出力しない。したがって、残りの印刷データがプリンタ（２０）に送信されて来ないので、守秘性を一段と高められる。
【００４２】
また、判別手段は、プリンタ（２０）に電源が投入（再投入）されたことを条件に不揮発性メモリ（２４）を検索して印刷されていない機密文書が残っているか否かを判別する手段で、残り判別制御プログラムを格納させたＲＯＭ２２とＣＰＵ２１とから形成され、図５のＳＴ５０，５１で実行される。
【００４３】
パスワード送信手段は、送信制御プログラムを格納させたＲＯＭ２２とＣＰＵ２１とから形成され、印刷未了の機密文書が残っていると判別（ＳＴ５１のＹＥＳ）されるとパスワード（ＩＤ等を含む未印刷通達）を上位機１０へ送信（ＳＴ５２）する。
【００４４】
入力待ち状態確立手段（ＣＰＵ２１，ＲＯＭ２２）は、パスワード確認手段（ＣＰＵ２１，ＲＯＭ２２）によってその判別（ＳＴ５１）後に上位機１０から受信（ＳＴ５３のＹＥＳ）したパスワードが不揮発性メモリ（２４）に記憶されている機密文書データ中のパスワードと同一であると確認された場合（ＳＴ５４のＹＥＳ）に、受付キーコードの入力待ち状態（ＳＴ５５）とする。したがって、同じ受付キーボードが入力（ＳＴ５５のＹＥＳ）されれば、残りを印刷（ＳＴ５６）する。印刷終了（ＳＴ５７のＹＥＳ）で、記憶手段（２４）はクリア（ＳＴ６２）される。
【００４５】
但し、ファクシミリ送信要求があった場合（ＳＴ５８のＹＥＳ）には、当該印刷データをファクシミリ送信制御手段（ＣＰＵ２１，ＲＯＭ２２）がファクシミリ送信（ＳＴ６０，ＳＴ６１）した後にクリア（ＳＴ６２）される。さらに、上位機１０からファクシミリ用機密文書コードを既に受信している場合（ＳＴ５９のＹＥＳ）には、その機密文書コードを付して送信（ＳＴ６０）する。ファクシミリ用機密文書コードを受信していない場合（ＳＴ５９のＮＯ）は印刷データのみを送信（ＳＴ６１）する。なお、ファクシミリ送信は、図７のＳＴ７５、ＳＴ７７と同時的に実行させることが可能である。
【００４６】
次に、この実施形態の作用・動作を説明する。
図１に示すある上位機１０において、ある利用者Ａが印刷要求する（図３のＳＴ２０のＹＥＳ）と、各プリンタ（２０，３０）に印刷要求が送信（ＳＴ２２）される。プリンタを指定した場合には、指定プリンタ（２０）へ送信（ＳＴ２２）する。これを受信（図６のＳＴ６３のＹＥＳ）したプリンタ（２０）は、ビジーでない場合に受付了解を当該上位機１０へ送信（ＳＴ６５）する。
【００４７】
なお、キーボード１５上のキー操作によりファクシミリ送信要求をすると（ＳＴ２１のＹＥＳ）、印刷およびファクシミリ送信の要求を送信（ＳＴ２３）する。いずれの要求（ＳＴ２２，２３）であるかは、ＲＡＭ１３のワークエリアに記憶される。
【００４８】
この受付了解を受信（図３のＳＴ２４のＹＥＳ）した上位機１０では、印刷要求のみの場合（ＳＴ２５のＹＥＳ）には図８（Ａ）（Ａ１），（Ａ３）に示す如く表示器１６に印刷指定画面を表示（ＳＴ２６）する。ファクシミリ送信要求もある場合（ＳＴ２５のＮＯ）には、図８の（Ａ）（Ａ１）〜（Ａ３）が表示（ＳＴ２７）される。
【００４９】
機密文書として印刷させたい場合は、図８（Ａ）（Ａ１）の印刷指定画面を参照しつつ機密文書データ入力手段（１５）を用いて印刷用機密文書コードを入力（ＳＴ２８のＹＥＳ）する。印刷用機密文書コードは記憶（ＳＴ２９）される。続いて、ＩＤ（名前），パスワードを入力（ＳＴ３２のＹＥＳ）する。印刷用機密文書データは、印刷用機密コードとともにＲＡＭ１３に一時記憶（ＳＴ３３）されかつ表示器１６に図８（Ａ）（Ａ３）に示すように表示（ＳＴ３３）される。したがって、利用者Ａは入力内容を目読確認できる。
【００５０】
また、ファクシミリ送信も要求した場合（ＳＴ２１のＹＥＳ、ＳＴ２５のＮＯ）には、図８（Ａ）（Ａ２）のファクシミリ送信指定画面を参照しつつ機密文書データ入力手段（１５）を用いてファクシミリ用機密文書コードを入力（ＳＴ３０のＹＥＳ，ＳＴ３１）する。相手方の番号（ＦＡＸ番号）もこの際に入力してもよい。ファクシミリ用機密文書データとしては、この機密文書コードと，併用する印刷用機密文書データ中のＩＤ（名前）およびパスワードと，ＦＡＸ番号とである。
【００５１】
さて、キーボード１５上のＯＫキーを押下操作（図４のＳＴ３４のＹＥＳ）すると、機密文書データ送信手段（１１，１２，１７）が、その機密文書データ（印刷用およびファクシミリ用）をプリンタ（２０）へ送信（ＳＴ３６）する。キャンセルの場合（ＳＴ３５のＹＥＳ）は、元に戻る。
【００５２】
プリンタ（２０）がこの機密文書データを受信（図６のＳＴ６６のＹＥＳ）すると、受付キーコード発生手段（２１，２２）が受付キーコード（例えば、“１２０３４５”を発生（ＳＴ６７）する。この受付キーコードは、記憶制御手段（２１，２２）によって機密文書データとともに不揮発性の記憶手段（ＥＥＰＲＯＭ２４）に記憶（ＳＴ６８）される。
【００５３】
すると、受付キーコード送信手段（２１，２２，２７）が、受付キーコードを当該上位機１０へ送信（ＳＴ６９）する。上位機１０内の受付キーコード出力手段（１１，１２，１６）は、受信（図４のＳＴ３７のＹＥＳ）した受付キーコードを表示器１６に図８（Ｂ）に示すように表示出力（ＳＴ３８）する。機密文書印刷要求了解画面である。受付キーコードは、再表示出力（再発行）しない旨も表示される。
【００５４】
引続き、１ページ目送信制御手段（１１，１２）が、当該機密文書印刷データ中の１ページ目分のみを送信（図４のＳＴ３９）する。プリンタ（２０）では、記憶制御手段（２１，２２）がこれを記憶手段（２４）に記憶（図６のＳＴ７０のＹＥＳ，ＳＴ７１）する。
【００５５】
図８（Ｂ）に示す表示出力を目視して受付キーコード（“１２０３４５”）を知った利用者Ａが、当該プリンタ（２０）に行ってかつ受付キーコード入力手段（２５）を用いて当該受付キーコードを入力（ＳＴ７２のＹＥＳ）すると、同一性確認手段（２１，２２）が入力された受付キーコードと記憶されている受付キーコードとを比較し、同一性を確認（認証）する（ＳＴ７３のＹＥＳ）。
【００５６】
かくして、両受付キーコードが合致すると、機密文書印刷制御手段（２１，２２）が既に受信していた１ページ分について直ちに印刷開始（図７のＳＴ７５）する。この際、送信許可出力手段（２１，２２）が、送信許可を上位機１０へ送信出力（ＳＴ７４）する。これにより、当該上位機１０は２ページ目印刷データを送信する（図４のＳＴ４０のＹＥＳ，ＳＴ４１）。
【００５７】
再びプリンタ（２０）は、これを受信（図７のＳＴ７６のＹＥＳ）すると、印刷（ＳＴ７７）する。以下、３ページ目以降も同様に印刷（図５のＳＴ５６）される。印刷終了（ＳＴ５７のＹＥＳ）となれば、ファクシミリ送信要求がない場合（ＳＴ５８のＮＯ）に、不揮発性メモリ（２４）に記憶された当該機密文書データはクリア（ＳＴ６２）される。
【００５８】
しかし、ファクシミリ送信要求（ＳＴ５８のＹＥＳ）がある場合（ＳＴ５８のＹＥＳ，ＳＴ５９のＮＯ）には、ファクシミリ送信制御手段（２１，２２）がファクシミリ回路４０を働かせて当該印刷データを相手方へファクシミリ送信（ＳＴ６１）する。ファクシミリ用機密文書コードが記憶されている場合（ＳＴ５９のＹＥＳ）には、印刷データにその機密文書コードを付して送信（ＳＴ６０）する。
【００５９】
ここに、印刷途中に停電があったとする。しかる後に、プリンタ（２０）の電源を再投入すると、判別手段（２１，２２）は不揮発性メモリ（２４）を検索（図５のＳＴ５０）して機密文書の未印刷分があるか否かを判別（ＳＴ５１）する。未印刷分が存在すると、パスワード送信手段（２１，２２，２７）が記憶手段（２４）に記憶されている機密文書データ中のパスワードを含む未印刷通達を上位機１０へ送信（ＳＴ５２）する。
【００６０】
上位機１０は、これを受信（図２のＳＴ１０のＹＥＳ）すると、未印刷通達出力手段（１１，１２，１６）が表示器１６に図９に示す如く未印刷通達を表示（ＳＴ１１）する。パスワードの入力を促す。
【００６１】
利用者Ａが、パスワード入力手段（１５）を用いてパスワードを入力（ＳＴ１２のＹＥＳ）すると、パスワード判別手段（１１，１２）がこの入力されたパスワードと受信（ＳＴ１０のＹＥＳ）したパスワードとを比較して同一性を判別する。同一性が確認（認証）された場合（ＳＴ１３のＹＥＳ）は、図９に示す表示画面にしたがいキーボード１５上のＯＫキーを押下操作（ＳＴ１４のＹＥＳ）する。
【００６２】
すると、送信手段（１１，１２，１７）が、当該パスワードを当該プリンタ（２０）へ送信（ＳＴ１６）する。これを受信（図５のＳＴ５３のＹＥＳ）したプリンタ（２０）では、パスワード確認手段（２１，２２）が記憶手段（２４）に記憶されているパスワードとの同一性を確認（図５のＳＴ５４）する。同一性があると確認された場合（ＳＴ５４のＹＥＳ）に、入力待ち状態確立手段（２１，２２）が入力待ち状態とする（ＳＴ５５）。
【００６３】
かくして、利用者Ａが、上位機１０からプリンタ（２０）へ行ってかつ受付キーコード入力手段（２５）を用いて、先に覚えた受付キーコード（“１２０３４５”）を入力（ＳＴ５５のＹＥＳ）すれば、残りの機密文書が印刷（ＳＴ５６）される。ファクシミリ送信もされる（ＳＴ５８〜ＳＴ６１）。この受付キーコードは、上位機１０へ送信され、これを受信（図２のＳＴ１７のＹＥＳ）した上位機１０は、当該機密文書に関する未送信の印刷データがある場合はこれを送信する（ＳＴ１８）。
【００６４】
しかして、この実施形態によれば、各上位機１０に機密文書データ入力手段（１５）と，機密文書データ送信手段（１１，１２，１７）と，受付キーコード出力手段（１１，１２，１６）とを設けるとともに、各プリンタ２０に記憶手段（２４）と，受付キーコード発生手段（２１，２２）と，記憶制御手段（２１，２２）と，受付キーコード送信手段（２１，２２，２７）と，受付キーコード入力手段（２５）と，同一性確認手段（２１，２２）と，機密文書印刷制御手段（２１，２２）とを設け、各プリンタ（２０，３０）において受付キーコードが入力されたことをもって各上位機１０において印刷用の機密文書データを入力した利用者が当該プリンタ（２０，３０）の近くに居ることを推定確認可能かつその確認後に当該機密文書を印刷可能に構成されているので、上位機１０とプリンタ（２０）との遠近や上位機１０からプリンタ（２０）へ行く時間の長短に拘わらず、機密文書の守秘性を確実に保て、かつ取扱いも非常に簡単である。
【００６５】
また、各上位機１０が各プリンタ（２０）から受付キーコードを受信した場合に１ページ目印刷データを送信可能かつ当該各プリンタ（２０）から送信許可を受信したことを条件に２ページ目以降の印刷データを送信可能に形成されるとともに、各プリンタ（２０）が受付キーコードが入力されかつ入力された受付キーコードが記憶手段（２４）に記憶された受付キーコードと同じ受付キーコードであると確認された場合に該２ページ目以降の印刷データについての送信許可を送信可能に形成されているので、真正の利用者がプリンタ（２０）に行って当該受付キーコードを入力すれば直ちに機密文書（１ページ目）の印刷が始まるから印刷高速化を維持できるとともに、同一性が確認されない場合には２ページ目以降の印刷データがプリンタ（２０）側に送信されて来ないので、この点からも守秘性を一段と高められる。
【００６６】
また、記憶手段（２４）を不揮発性メモリ（ＥＥＰＲＯＭ２４）から形成するとともに、各プリンタ（２０）に電源が投入されたことを条件に不揮発性メモリ（２４）を検索して印字していない機密文書が残っているか否かを判別する判別手段（２１，２２）と，残っていると判別された場合に当該機密文書データに含まれるパスワードを各上位機１０へ送信するパスワード送信手段（２１，２２，２７）とを設け、かつ各上位機１０に各プリンタ（２０）からパスワードを受信した場合に未印刷通達を出力する未印刷通達出力手段（１１，１２，１６）と，パスワードを入力可能なパスワード入力手段（１５）と，入力されたパスワードと各プリンタ（２０）から受信したパスワードとを比較してその同一性を判別するパスワード判別手段（１１，１２）と，同一性があると判別された場合に各プリンタ（２０）に当該パスワードを送信する送信手段（１１，１２，１７）とを設け、各プリンタ（２０）が各上位機１０から受信したパスワードが不揮発性メモリ（２４）に記憶されている機密文書データ中のパスワードと同一である場合に受付キーコードの入力待ち状態となるように形成されているので、停電等があっても残りの機密文書の守秘性を保ちつつ真正の利用者の手続により当該機密文書を継続印刷させることができる。
【００６７】
また、各上位機１０が印刷データを送信するプリンタ２０に当該印刷データをファクシミリ送信させる旨のファクシミリ送信要求およびファクシミリ用機密文書データを入力可能かつ入力されたファクシミリ送信要求をプリンタ２０へ送信する際にファクシミリ送信する印刷データが機密文書である旨のファクシミリ用機密文書データが入力されている場合には当該ファクシミリ用機密文書データも当該プリンタ２０へ送信可能に形成されるとともに、各プリンタ２０が上位機１０からファクシミリ送信要求を受信した場合に当該印刷データをファクシミリ送信可能かつファクシミリ用機密文書データを受信した場合には当該ファクシミリ送信の際にファクシミリ用機密文書データをも送信可能に形成されているので、上位機１０からプリンタ２０へ印刷データを１回送信するだけで印刷とファクシミリ送信ができるとともに、ファクシミリ受信先においても守秘性を保てる。
【００６８】
さらに、印刷用およびファクシミリ用の機密文書データの入力要否ガイダンスが図８（Ａ）に示す各指定画面〔（Ａ１），（Ａ２）〕に表示されるものと形成されているので、取扱いが一段と容易である。
【００６９】
さらに、各機密文書データの入力がＯＫキーを押下操作（図４のＳＴ３４のＹＥＳ）することにより確定されるものと形成されているので、慎重な取扱いが確約されかつキャンセル操作（ＳＴ３５）と相俟って選択自由性を一段と高められる。
【００７０】
さらに、受付キーコード出力手段（１１，１２，１６）が機密文書印刷要求了解画面に受付キーコードを表示出力する際（図４のＳＴ３８）には図８（Ｂ）に示す如く再表示出力（再発行）しない旨が表示されるものと形成されているので、要求した利用者のみに確実に伝えられ他者に対する守秘性を一段と高められる。
【００７１】
さらにまた、各機密文書データおよび受付キーコードのみならず機密文書印刷データもが不揮発性の記憶手段（ＥＥＰＲＯＭ２４）に記憶されるものと形成されているので、印刷途中に停電があったとしても印刷データの再作成を必要とせず、先の機密文書を確実に印刷できる。
【００７２】
【発明の効果】
請求項１の発明によれば、印刷データを送信する複数の上位機と，受信した印刷データに基き印刷処理する複数のプリンタとを双方通信可能に接続してなる印刷装置において、前記各上位機が印字用の機密文書データを入力可能かつ入力された機密文書データを前記各プリンタへ送信可能に形成され、前記各プリンタが前記各上位機から受信した機密文書データに対応する受付キーコードを発生可能かつ発生された受付キーコードを記憶手段に記憶可能であるとともに前記各上位機へ送信可能に形成され、前記各上位機は各プリンタから受付キーコードを受信した場合に、１ページ目印刷データを送信可能かつ前記各プリンタから送信許可を受信したことを条件に２ページ目以降の印刷データを送信可能に形成されるとともに、前記各上位機が前記各プリンタから受信した受付キーコードを出力可能に形成される一方、前記各プリンタは受付キーコードが入力されかつ入力された受付キーコードが前記記憶手段に記憶された受付キーコードと同じ受付キーコードであると確認された場合に、前記２ページ目以降の印刷データについての該送信許可を各上位機に送信可能に形成され、かつ前記各プリンタが入力された受付キーコードが該記憶手段に記憶されている受付キーコードと合致することを条件に当該機密文書を印刷可能に形成され、前記各プリンタにおいて受付キーコードが入力されたことをもって前記各上位機において機密文書データを入力した利用者が当該プリンタの近くに居ることを推定確認可能かつその確認後に当該機密文書を印刷可能に構成されているので、上位機とプリンタとの遠近や上位機からプリンタへ行く時間の長短に拘わらず、機密文書の守秘性を確実に保持でき、かつ取扱いも非常に簡単であり、さらに真正の利用者がプリンタに行って当該受付キーコードを入力すれば直ちに機密文書の印刷が始まるから印刷高速化を維持できるとともに、同一性が確認されない場合には２ページ目以降の印刷データがプリンタ側に送信されて来ないので、この点からも守秘性を一段と高められる。
【００７３】
また、請求項２の発明によれば、各上位機に機密文書データ入力手段と，機密文書データ送信手段と，受付キーコード出力手段とを設けるとともに、各プリンタに記憶手段と，受付キーコード発生手段と，記憶制御手段と，受付キーコード送信手段と，受付キーコード入力手段と，同一性確認手段と，機密文書印刷制御手段とを設け、各プリンタにおいて受付キーコードが入力されたことをもって各上位機において印刷用の機密文書データを入力した利用者が当該プリンタの近くに居ることを推定確認可能かつその確認後に当該機密文書を印刷可能に構成されているので、請求項１の発明の場合と同様に受付キーコードを知る当該利用者のみが機密文書（印刷物）を入手できるから、その守秘性を保持できるとともに、さらに取扱いが一段と容易である。
【００７５】
さらに、請求項３の発明によれば、機密文書データおよびそのパスワードを記憶する記憶手段を設けるとともに、各プリンタに判別手段とパスワード送信手段とを設け、かつ各上位機に未印刷通達出力手段と，パスワード入力手段と，パスワード判別手段と，送信手段とを設け、各プリンタが各上位機から受信したパスワードが記憶手段に記憶されている機密文書データ中のパスワードと同一である場合に受付キーコードの入力待ち状態となるように形成されているので、請求項１および請求項２に記載の発明の場合と同様な効果を奏し得ることはもよとり、さらに停電等があっても残りの機密文書の守秘性を保ちつつ真正の利用者の手続により当該機密文書を継続印刷させることができる。
【００７６】
さらにまた、請求項４の発明によれば、各上位機は入力されたファクシミリ送信要求をプリンタへ送信する際にファクシミリ送信する印刷データが機密文書である旨のファクシミリ用機密文書データが入力されている場合には当該ファクシミリ用機密文書データも当該プリンタへ送信可能に形成されるとともに、各プリンタは上位機からファクシミリ送信要求を受信した場合に当該印刷データをファクシミリ送信可能かつファクシミリ用機密文書データを受信した場合には当該ファクシミリ送信の際にファクシミリ用機密文書データをも送信可能に形成されているので、請求項１から請求項３までの発明の場合と同様な効果を奏し得ることはもとより、上位機からプリンタへ印刷データを１回送信するだけで印刷とファクシミリ送信ができるとともに、ファクシミリ受信先においても守秘性を保て得る。
【図面の簡単な説明】
【図１】本発明の実施形態を示すブロック図である。
【図２】同じく、上位機側の動作を説明するためのフローチャート（１）である。
【図３】同じく、上位機側の動作を説明するためのフローチャート（２）である。
【図４】同じく、上位機側の動作を説明するためのフローチャート（３）である。
【図５】同じく、プリンタ側の動作を説明するためのフローチャート（１）である。
【図６】同じく、プリンタ側の動作を説明するためのフローチャート（２）である。
【図７】同じく、プリンタ側の動作を説明するためのフローチャート（３）である。
【図８】同じく、上位機側の表示出力例（１）を説明するための図である。
【図９】同じく、上位機側の表示出力例（２）を説明するための図である。
【図１０】従来例を説明するための概略図である。
【符号の説明】
１    データ通信回線
１０  上位機
１１  ＣＰＵ（機密文書データ送信手段，受付キーコード出力手段、
未印刷通達出力手段，パスワード判別手段，送信手段）
１２  ＲＯＭ（機密文書データ送信手段，受付キーコード出力手段、
未印刷通達出力手段，パスワード判別手段，送信手段）
１５  キーボード（機密文書データ入力手段、パスワード入力手段）
１６  表示器（受付キーコード出力手段，未印刷通達出力手段）
１７  インターフェイス（機密文書データ送信手段、送信手段）
２０  コントローラ（プリンタ）
２１  ＣＰＵ（受付キーコード発生手段，記憶制御手段，
受付キーコード送信手段，同一性確認手段，
機密文書印刷制御手段、判別手段，パスワード送信手段）
２２  ＲＯＭ（受付キーコード発生手段，記憶制御手段，
受付キーコード送信手段，同一性確認手段，
機密文書印刷制御手段、判別手段，パスワード送信手段）
２３  ＲＡＭ
２４  ＥＥＰＲＯＭ（不揮発性の記憶手段）
２５  キーボード（受付キーコード入力手段）
２７  インターフェイス（受付キーコード送信手段、パスワード送信手段）
３０  印刷機構（プリンタ）
４０  ファクシミリ回路
４１  電話回線
【図１】
0003703562.tif 000002
【図２】
0003703562.tif 000003
【図３】
0003703562.tif 000004
【図４】
0003703562.tif 000005
【図５】
0003703562.tif 000006
【図６】
0003703562.tif 000007
【図７】
0003703562.tif 000008
【図８】
0003703562.tif 000009
【図９】
0003703562.tif 000010
【図１０】
0003703562.tif 000011